(57)【要約】 【課題】  ラジオ部、テレビ部、および、ディスク部における処理の実施状態を適切に制御できる車載用ＡＶ装置を提供する。【解決手段】  車載用ＡＶ装置４００の処理部４９０は、通常電源接続部４１０に通常電力供給手段Ｅ１が接続され、非常用電源接続部４２０に非常用電力供給手段Ｅ２が接続されていないことを検出すると、通常電力供給手段Ｅ１から供給される電力でラジオ部４４１、テレビ部４４２、ディスク部４４３の全てを動作させて適宜処理を実施させる。処理部４９０は、非常用電源接続部４２０に非常用電力供給手段Ｅ２が接続されたことを検出すると、非常用電力供給手段Ｅ２から供給される電力でラジオ部４４１、テレビ部４４２、ディスク部４４３のうちの１つまたは２つのみを動作させて所定の処理のみを適宜実施させる。【選択図】 図１
2006199205.tif 000002
【特許請求の範囲】
【請求項１】
主電力源から供給される電力により複数の異なる処理を実施する処理実施手段を制御する処理制御装置であって、
外部から補助電力源が接続され、前記補助電力源からの電力の供給状態を検出する検出手段と、
この検出手段にて前記補助電力源から電力が供給されたこと検出すると、前記主電力源から切替えて前記補助電力源から供給される電力により前記複数の異なる処理のうち所定の処理のみを実施可能な状態に制御する処理制御手段と、
を具備したことを特徴とする処理制御装置。
【請求項２】
請求項１に記載の処理制御装置であって、
前記検出手段で前記補助電力源からの電力の供給を検出した旨を前記処理制御手段に認識させるための供給信号を出力させる供給信号出力手段を具備した
ことを特徴とする処理制御装置。
【請求項３】
請求項１または請求項２に記載の処理制御装置であって、
前記補助電力源は、複数の前記処理実施手段に接続されているとともに、その電力の供給経路を切替えることにより複数の処理実施手段の各々に対して電力を供給可能であり、
前記処理制御手段は、前記補助電力源から供給される電力により前記複数の処理実施手段のうち所定の前記処理実施手段における前記所定の処理のみを実施可能な状態に制御する
ことを特徴とする処理制御装置。
【請求項４】
主電力源から供給される電力により複数の異なる処理を実施する処理実施手段を制御する処理制御装置であって、
前記主電力源の電力量の変化状態、および、前記主電力源から供給される電力の供給量の変化状態のうちの少なくともいずれか一方の変化状態を認識する認識手段と、
この認識手段にて前記少なくともいずれか一方の変化状態が減少状態であると認識したことを認識すると、前記複数の異なる処理のうち所定の処理のみを実施可能な状態に制御する処理制御手段と、
を具備したことを特徴とする処理制御装置。
【請求項５】
請求項４に記載の処理制御装置であって、
前記認識手段で前記少なくともいずれか一方の変化状態が減少状態である旨を認識した旨を前記処理制御手段に認識させるための減少状態信号を入力操作に応じて出力させる減少状態信号出力手段を具備した
ことを特徴とする処理制御装置。
【請求項６】
請求項４または請求項５に記載の処理制御装置であって、
前記主電力源は、複数の前記処理実施手段に接続されているとともに、その電力の供給経路を切替えることにより複数の処理実施手段の各々に対して電力を供給可能であり、
前記処理制御手段は、前記複数の処理実施手段のうち所定の前記処理実施手段における前記所定の処理のみを実施可能な状態に制御する
ことを特徴とする処理制御装置。
【請求項７】
請求項１ないし請求項６のいずれかに記載の処理制御装置であって、
前記処理実施手段は、所定の情報を取得する情報取得手段と、この情報取得手段で取得した前記情報を出力手段から出力させる出力処理手段と、を備え、
前記処理制御手段は、前記情報取得手段で前記所定の処理として特定の前記情報の取得処理のみを実施可能な状態に制御する
ことを特徴とする処理制御装置。
【請求項８】
請求項７に記載の処理制御装置であって、
前記情報取得手段は、配信装置から配信される前記所定の情報を取得する配信情報取得手段であり、
前記処理制御手段は、前記配信情報取得手段で前記特定の情報の取得処理として特定の前記配信装置からの前記情報の取得処理のみを実施可能な状態に制御する
ことを特徴とする処理制御装置。
【請求項９】
請求項８に記載の処理制御装置であって、
前記処理制御手段は、前記配信情報取得手段で災害、天候、および、交通のうちの少なくともいずれか１つに関する情報を優先的に配信する前記特定の配信装置からの前記情報の取得処理のみを実施可能な状態に制御する
ことを特徴とする処理制御装置。
【請求項１０】
請求項１ないし請求項６のいずれかに記載の処理制御装置であって、
前記処理実施手段は、所定の情報を取得する情報取得手段と、この情報取得手段で取得した前記情報を出力手段から出力させる出力処理手段と、を備え、
前記処理制御手段は、前記出力処理手段で前記所定の処理として前記情報を前記出力手段から特定の出力形態で出力させる処理のみを実施可能な状態に制御する
ことを特徴とする処理制御装置。
【請求項１１】
請求項１０に記載の処理制御装置であって、
前記情報は、音声であり、
前記出力処理手段は、前記音声を前記出力手段としての音声出力手段から出力させる音声出力処理手段であり、
前記処理制御手段は、前記音声出力処理手段で前記音声の出力形態における高さ、強さ、および、音色のうちの少なくともいずれか１つを特定の出力形態に設定して前記音声を前記音声出力手段から出力させる処理のみを実施可能な状態に制御する
ことを特徴とする処理制御装置。
【請求項１２】
請求項１０に記載の処理制御装置であって、
前記情報は、画像であり、
前記出力処理手段は、前記画像を前記出力手段としての表示手段で表示させる画像表示処理手段であり、
前記処理制御手段は、前記画像表示処理手段で前記画像の出力形態としての表示形態における明度、色相、および、彩度のうちの少なくともいずれか１つを特定の表示形態に設定して前記画像を前記表示手段で表示させる処理のみを実施可能な状態に制御する
ことを特徴とする処理制御装置。
【請求項１３】
請求項１０に記載の処理制御装置であって、
前記情報は、画像であり、
前記出力処理手段は、前記画像を前記出力手段としての表示手段で表示させる画像表示処理手段であり、
前記処理制御手段は、前記画像表示処理手段で前記画像を断続的に前記表示手段で表示させる処理のみを実施可能な状態に制御する
ことを特徴とする処理制御装置。
【請求項１４】
請求項１ないし請求項６のいずれかに記載の処理制御装置であって、
前記処理実施手段は、記録媒体に記録された所定の情報を読み出して取得する情報取得手段と、この情報取得手段で取得した前記情報を再生して出力手段から出力させる出力処理手段と、を備え、
前記処理制御手段は、前記出力処理手段で前記所定の処理として前記情報を連続的に再生させて出力させる処理のみを実施可能な状態に制御する
ことを特徴とする処理制御装置。
【請求項１５】
請求項１ないし請求項１４のいずれかに記載の処理制御装置であって、
前記主電力源は、移動体に搭載され前記移動体の駆動に利用される移動体駆動電力源である
ことを特徴とする処理制御装置。
【請求項１６】
主電力源から供給される電力により複数の異なる処理を実施する処理実施手段を制御する処理制御方法であって、
外部から補助電力源が接続され、前記補助電力源からの電力の供給状態を検出し、
前記補助電力源から電力が供給されたこと検出すると、前記主電力源から切替えて前記補助電力源から供給される電力により前記複数の異なる処理のうち所定の処理のみを実施可能な状態に制御する
ことを特徴とする処理制御方法。
【請求項１７】
主電力源から供給される電力により複数の異なる処理を実施する処理実施手段を制御する処理制御方法であって、
前記主電力源の電力量の変化状態、および、前記主電力源から供給される電力の供給量の変化状態のうちの少なくともいずれか一方の変化状態を認識し、
前記少なくともいずれか一方の変化状態が減少状態であると認識したことを認識すると、前記複数の異なる処理のうち所定の処理のみを実施可能な状態に制御する
ことを特徴とする処理制御方法。
【請求項１８】
演算手段を請求項１ないし請求項１５のいずれかに記載の処理制御装置として機能させる
ことを特徴とする処理制御プログラム。
【請求項１９】
請求項１６または請求項１７に記載の処理制御方法を演算手段に実行させる
ことを特徴とする処理制御プログラム。
【請求項２０】
請求項１８または請求項１９に記載の処理制御プログラムが演算手段にて読取可能に記録された
ことを特徴とする処理制御プログラムを記録した記録媒体。
【発明の詳細な説明】
【技術分野】
【０００１】
本発明は、電力により複数の異なる処理を実施する処理実施手段を制御する処理制御装置、その方法、そのプログラム、および、そのプログラムを記録した記録媒体に関する。
【背景技術】
【０００２】
従来、例えば車両などの移動体に搭載されラジオ放送やＣＤ（Compact Disc）などの記録媒体に記録された楽曲などを出力する車載用のオーディオ装置が知られている（例えば、特許文献１参照）。
【０００３】
この特許文献１に記載のものは、アクセサリスイッチがオフであり車載バッテリからの電力供給がないときには、太陽電池からの電力により充電される二次電池の電力を使って、予め設定された装置各部の限定的な動作を実施する。また、アクセサリスイッチがオンであり車載バッテリから電力が供給されると、車載バッテリからの電力で通常動作を実施し、二次電池を使うことをやめる。
【０００４】
【特許文献１】特開２００４−４２７３１号公報（第３頁−第４頁）
【発明の開示】
【発明が解決しようとする課題】
【０００５】
ところで、上述したような特許文献１のような構成では、二次電池を充電するための構成が必要で、装置の大型化やコストの増大などの不都合が生じる。また、例えば、地震等の自然災害や車両故障等に遭遇して車載バッテリから電力が供給されなくなった場合に二次電池により装置各部の限定的な動作を行わせたとしても、その緊急時に必要な情報を得るための操作等に時間がかかってしまうと、二次電池の充電量が減少することとなり、結果的に必要な情報が得られなくなってしまうというおそれが問題点の一つとして挙げられる。
【０００６】
本発明は、このような点に鑑みて、電力により複数の異なる処理を実施する処理実施手段を適切に制御する処理制御装置、その方法、そのプログラム、および、そのプログラムを記録した記録媒体を提供することを１つの目的とする。
【課題を解決するための手段】
【０００７】
請求項１に記載の発明は、主電力源から供給される電力により複数の異なる処理を実施する処理実施手段を制御する処理制御装置であって、外部から補助電力源が接続され、前記補助電力源からの電力の供給状態を検出する検出手段と、この検出手段にて前記補助電力源から電力が供給されたこと検出すると、前記主電力源から切替えて前記補助電力源から供給される電力により前記複数の異なる処理のうち所定の処理のみを実施可能な状態に制御する処理制御手段と、を具備したことを特徴とする処理制御装置である。
【０００８】
請求項４に記載の発明は、主電力源から供給される電力により複数の異なる処理を実施する処理実施手段を制御する処理制御装置であって、前記主電力源の電力量の変化状態、および、前記主電力源から供給される電力の供給量の変化状態のうちの少なくともいずれか一方の変化状態を認識する認識手段と、この認識手段にて前記少なくともいずれか一方の変化状態が減少状態であると認識したことを認識すると、前記複数の異なる処理のうち所定の処理のみを実施可能な状態に制御する処理制御手段と、を具備したことを特徴とする処理制御装置である。
【０００９】
請求項１６に記載の発明は、主電力源から供給される電力により複数の異なる処理を実施する処理実施手段を制御する処理制御方法であって、外部から補助電力源が接続され、前記補助電力源からの電力の供給状態を検出し、前記補助電力源から電力が供給されたこと検出すると、前記主電力源から切替えて前記補助電力源から供給される電力により前記複数の異なる処理のうち所定の処理のみを実施可能な状態に制御することを特徴とする処理制御方法である。
【００１０】
請求項１７に記載の発明は、主電力源から供給される電力により複数の異なる処理を実施する処理実施手段を制御する処理制御方法であって、前記主電力源の電力量の変化状態、および、前記主電力源から供給される電力の供給量の変化状態のうちの少なくともいずれか一方の変化状態を認識し、前記少なくともいずれか一方の変化状態が減少状態であると認識したことを認識すると、前記複数の異なる処理のうち所定の処理のみを実施可能な状態に制御することを特徴とする処理制御方法である。
【００１１】
請求項１８に記載の発明は、演算手段を請求項１ないし請求項１５のいずれかに記載の処理制御装置として機能させることを特徴とする処理制御プログラムである。
【００１２】
請求項１９に記載の発明は、請求項１６または請求項１７に記載の処理制御方法を演算手段に実行させることを特徴とする処理制御プログラムである。
【００１３】
請求項２０に記載の発明は、請求項１８または請求項１９に記載の処理制御プログラムが演算手段にて読取可能に記録されたことを特徴とする処理制御プログラムを記録した記録媒体である。
【発明を実施するための最良の形態】
【００１４】
以下に、本発明に係る一実施の形態を図面に基づいて説明する。本実施の形態では、本発明の処理制御装置を有する車載用ＡＶ（Audio Visual）装置を備えた車載用ＡＶシステムであって、移動体である例えば車両に搭載され、ラジオ放送の音声、テレビ放送の音声や画像、記録媒体としてのＣＤ（Compact Disc）やＤＶＤ（Digital Versatile Disc）などのディスクに記録されたコンテンツ（以下、ディスクコンテンツと称す）の音声や画像を適宜出力する構成を例示して説明する。なお、ここでは、車載用ＡＶ装置を例示して説明するが、これに限らず例えば設置型や携帯型のＡＶ装置にも適用できる。図１は、本実施の形態に係る車載用ＡＶシステムの概略構成を示すブロック図である。図２は、非常時動作情報の概略構成を示す模式図である。図３は、車載用ＡＶ装置を構成する処理部の概略構成を示すブロック図である。
【００１５】
〔車載用ＡＶシステムの構成〕
図１において、１００は車載用ＡＶシステムである。この車載用ＡＶシステム１００は、移動体である例えば車両に搭載され、ラジオ放送、テレビ放送、記録媒体に記録された音声や画像を適宜出力する。また、車載用ＡＶシステム１００は、車両のバッテリである主電力源としての通常電力供給手段Ｅ１に接続され、この通常電力供給手段Ｅ１からの電力供給によりラジオ放送、テレビ放送、ディスクコンテンツの出力処理を適宜実施する。さらに、例えば通常電力供給手段Ｅ１から供給される電力の減少で車両の移動が不可能になったり、ラジオ放送などの出力処理を実施できないおそれがある場合などにおいて、例えば発電機などの補助電力源としての非常用電力供給手段Ｅ２が接続された際に（以下、非常時と適宜称す）、通常電力供給手段Ｅ１との接続を解除する。そして、ラジオ放送を出力する構成、テレビ放送を出力する構成、ディスクコンテンツを出力する構成のうちのいずれか１つまたは２つのみに、非常用電力供給手段Ｅ２からの電力を供給する制御をする。さらに、非常用電力供給手段Ｅ２からの電力供給により実施される各出力処理における音声や画像の出力形態の設定、利用可能な機能の限定、所定の放送局の設定などの制御をする。そして、車載用ＡＶシステム１００は、出力手段としての音声出力手段である音声出力部２００と、出力手段としての表示手段である表示部３００と、車載用ＡＶ装置４００と、を備えている。
【００１６】
音声出力部２００は、車載用ＡＶ装置４００に着脱可能に接続されている。この音声出力部２００は、例えばインストルメントパネル部、ドア部、リアダッシュボード部など、車両の室内空間における前方部分や後方部分の左右側にそれぞれ配設された図示しないスピーカを有している。そして、音声出力部２００は、車載用ＡＶ装置４００により制御され、車載用ＡＶ装置４００から音声信号として出力されるラジオ放送やテレビ放送あるいはディスクコンテンツの音声データなどをスピーカから音により出力させる。
【００１７】
表示部３００は、車載用ＡＶ装置４００に着脱可能に接続されている。この表示部３００は、例えばインストルパネル部や後部座席前方など、運転手や同乗者などの車両の利用者が視認可能な位置に配設されている。そして、表示部３００は、車載用ＡＶ装置４００により制御され、車載用ＡＶ装置４００から画像信号として出力される画像データの画像などを表示させる。この表示部３００としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１８】
車載用ＡＶ装置４００は、移動体としての車両に搭載され、ラジオ放送、テレビ放送、ディスクコンテンツなどを適宜出力する。また、車載用ＡＶ装置４００は、非常用電力供給手段Ｅ２が接続された場合、通常電力供給手段Ｅ１との接続を解除して、ラジオ放送を出力する構成、テレビ放送を出力する構成、ディスクコンテンツを出力する構成のうちのいずれか１つまたは２つのみに、非常用電力供給手段Ｅ２からの電力を供給する制御をする。さらに、非常用電力供給手段Ｅ２からの電力供給により実施される各出力処理における音声や画像の出力形態の設定、利用可能な機能の限定、所定の放送局の設定などの制御をする。そして、車載用ＡＶ装置４００は、通常電源接続部４１０と、非常用電源接続部４２０と、電力供給切換手段４３０と、情報出力処理手段４４０と、入力部４５０と、ＲＡＭ（Random Access Memory）４６０と、ＲＯＭ（Read Only Memory）４７０と、不揮発性メモリ４８０と、処理部４９０と、などを備えている。
【００１９】
通常電源接続部４１０は、例えば図示しないプラグが着脱可能に接続されるコネクタやリード線が接続されるターミナルなどであり、電力供給切換手段４３０と、処理部４９０と、などに接続されている。さらに、通常電源接続部４１０には、通常電力供給手段Ｅ１が着脱可能に接続される。非常用電源接続部４２０は、例えば通常電源接続部４１０と同様のコネクタやターミナルなどであり、電力供給切換手段４３０と、演算手段としての処理部４９０と、などに接続されている。この非常用電源接続部４２０には、非常用電力供給手段Ｅ２が着脱可能に適宜接続される。
【００２０】
電力供給切換手段４３０は、情報出力処理手段４４０と、処理部４９０と、などに接続されている。この電力供給切換手段４３０は、処理部４９０の制御により、通常電源接続部４１０を情報出力処理手段４４０の後述するラジオ部４４１、テレビ部４４２、ディスク部４４３の全てに接続する。また、電力供給切換手段４３０は、通常電源接続部４１０を各部４４１，４４２，４４３に接続している状態を解除して、非常用電源接続部４２０を各部４４１，４４２，４４３のうちの特定の構成に接続する状態に適宜切り換える。この電力供給切換手段４３０としては、ＦＥＴ（Field Effect Transistor）などで構成されたスイッチング素子、機械的なスイッチなどが例示できる。
【００２１】
情報出力処理手段４４０は、処理部４９０などに接続され、処理部４９０の制御により、ラジオ放送、テレビ放送、ディスクコンテンツの音声を音声出力部２００から出力させたり、画像を表示部３００で表示させる処理をする。そして、情報出力処理手段４４０は、ラジオ部４４１と、テレビ部４４２と、ディスク部４４３と、などを備えている。なお、各部４４１，４４２，４４３が本発明の処理実施手段に対応する。
【００２２】
ラジオ部４４１は、電力供給切換手段４３０を介して通常電力供給手段Ｅ１または非常用電力供給手段Ｅ２から供給される電力により動作し、ラジオ放送を受信する処理をする。そして、ラジオ部４４１は、情報取得手段としてのラジオチューナ４４１Ａと、出力処理手段である音声出力処理手段としてのラジオ処理手段４４１Ｂと、などを備えている。
【００２３】
ラジオチューナ４４１Ａには、地上波アナログ放送や地上波デジタル放送さらには衛星デジタル放送などの各種ラジオ放送波を受信する図示しないラジオアンテナが接続されている。そして、ラジオチューナ４４１Ａは、ラジオ処理手段４４１Ｂにて制御され、ラジオアンテナにて受信されこのラジオアンテナから入力される音声を出力させるためのラジオ受信信号を取得して、ラジオ処理手段４４１Ｂへ出力する。なお、音声とともに文字を出力させるためのラジオ受信信号を取得する構成としてもよい。ラジオ処理手段４４１Ｂは、処理部４９０から所定のラジオ放送を出力する旨を要求するラジオ要求情報を取得すると、ラジオチューナ４４１Ａを制御して、ラジオ要求情報で要求されているラジオ放送局からのラジオ受信信号を受信させて出力させる。そして、ラジオチューナ４４１Ａからラジオ受信信号を取得して、このラジオ受信信号の音声をラジオ出力信号に適宜変換して処理部４９０へ出力する。
【００２４】
テレビ部４４２は、通常電力供給手段Ｅ１または非常用電力供給手段Ｅ２から供給される電力により動作し、テレビ放送を受信する処理をする。そして、テレビ部４４２は、情報取得手段としてのテレビチューナ４４２Ａと、出力処理手段である音声出力処理手段および画像表示処理手段としてのテレビ処理手段４４２Ｂと、などを備えている。
【００２５】
テレビチューナ４４２Ａには、地上波アナログ放送や地上波デジタル放送さらには衛星デジタル放送などの各種テレビ放送波を受信する図示しないテレビアンテナが接続されている。そして、テレビチューナ４４２Ａは、テレビ処理手段４４２Ｂにて制御され、テレビアンテナにて受信されこのテレビアンテナから入力される音声や画像を出力させるためのテレビ受信信号を取得して、テレビ処理手段４４２Ｂへ出力する。テレビ処理手段４４２Ｂは、処理部４９０から所定のテレビ放送を出力する旨を要求するテレビ要求情報を取得すると、テレビチューナ４４２Ａを制御して、テレビ要求情報で要求されているテレビ放送局からのテレビ受信信号を受信させて出力させる。そして、テレビチューナ４４２Ａからテレビ受信信号を取得して、このテレビ受信信号をテレビ出力信号に適宜変換して処理部４９０へ出力する。
【００２６】
ディスク部４４３は、通常電力供給手段Ｅ１または非常用電力供給手段Ｅ２から供給される電力により動作し、ＣＤやＤＶＤなどのディスクに記録されたディスクコンテンツを出力させるためのディスクコンテンツデータを取得する処理をする。そして、ディスク部４４３は、ディスク回転手段４４３Ａと、情報取得手段としてのピックアップ４４３Ｂと、出力処理手段である音声出力処理手段および画像表示処理手段としてのディスク処理手段４４３Ｃと、などを備えている。
【００２７】
ディスク回転手段４４３Ａは、ディスク処理手段４４３Ｃにて制御され、ケース体の例えば正面に配設された図示しないディスク挿入部から挿入されるＣＤやＤＶＤなどを保持する。そして、この保持したＣＤやＤＶＤを周方向に適宜回転させる。ピックアップ４４３Ｂは、ディスク処理手段４４３Ｃにて制御され、ディスク回転手段４４３Ａで回転されたＣＤやＤＶＤの記録面にレーザ光を照射する。そして、ＣＤやＤＶＤからの反射光を図示しない受光手段にて受光して、この受光した反射光に対応する受光信号をディスク処理手段４４３Ｃへ出力する。ディスク処理手段４４３Ｃは、処理部４９０から所定のディスクコンテンツデータを取得する旨を要求するコンテンツ要求情報を取得すると、ディスク回転手段４４３Ａやピックアップ４４３Ｂなどを制御して、コンテンツ要求情報で要求されているディスクコンテンツデータが記録されたＣＤやＤＶＤに対応する受光信号を出力させる。そして、ピックアップ４４３Ｂから受光信号を取得して、この受光信号をディスク出力信号に適宜変換して処理部４９０へ出力する。
【００２８】
入力部４５０は、ケース体の例えば正面に臨んで入力操作可能に配設された図示しない各種操作ボタンや操作つまみなどを有している。この操作ボタンや操作つまみの入力操作の内容としては、例えば車載用ＡＶ装置４００の動作内容の設定などの設定事項である。そして、入力部４５０は、設定事項の入力操作により、各種情報を操作信号として処理部４９０へ出力して設定させる。なお、入力部４５０としては、操作ボタンや操作つまみなどの入力操作に限らず、例えば表示部３００に設けられたタッチパネルによる入力操作や、音声による入力操作など、各種設定事項を設定入力可能ないずれの構成が例示できる。
【００２９】
ＲＡＭ４６０は、処理部４９０に接続されている。このＲＡＭ４６０は、ラジオ放送やテレビ放送あるいはディスクコンテンツを出力させる際などに必要な各種データなどを適宜読み出し可能に記憶する。ＲＯＭ４７０は、車載用ＡＶ装置４００全体を動作制御するＯＳ（Operating System）上に展開される各種プログラムなどを適宜読み出し可能に記憶している。また、ＲＯＭ４７０は、図示しない通常時動作情報を適宜読み出し可能に記憶している。この通常時動作情報は、非常時でない場合（以下、通常時と適宜称す）において、情報出力処理手段４４０の各部４４１，４４２，４４３の全てに各電力供給手段Ｅ１，Ｅ２からの電力を供給して、利用者の設定入力に基づいて動作させる旨などに関する情報である。なお、ＲＯＭ４７０としては、ＨＤや光ディスクなどの記録媒体に読み出し可能に記憶するドライブやドライバなどを備えた構成などとしてもよい。
【００３０】
不揮発性メモリ４８０は、通常電力供給手段Ｅ１の電力がなくなった場合や、通常電源接続部４１０および通常電力供給手段Ｅ１の接続が解除された場合などにおいて、通常電力供給手段Ｅ１からの電力供給が停止された際にも記憶が保存される構成のメモリである。この不揮発性メモリ４８０としては、例えばＮＶ（Non Volatile）メモリやＣＭＯＳ（Complementary Metal-Oxide Semiconductor）メモリなどが例示できる。そして、不揮発性メモリ４８０は、例えば図２に示すような非常時動作情報５００を適宜読み出し可能に記憶する。
【００３１】
非常時動作情報５００は、非常時に情報出力処理手段４４０の各部４４１，４４２，４４３のうちのいずれかに非常用電力供給手段Ｅ２からの電力を供給して動作させる旨や、非常時における音声や画像の出力形態などに関する情報である。この非常時動作情報５００は、処理部４９０により適宜生成される。そして、非常時動作情報５００は、選択ソース情報５１０と、動作設定情報５２０と、が１つのデータ構造として関連付けられて構成されている。
【００３２】
選択ソース情報５１０は、非常時に非常用電力供給手段Ｅ２からの電力を供給する各部４４１，４４２，４４３を特定する旨の情報である。そして、選択ソース情報５１０は、ラジオフラグ５１１と、テレビフラグ５１２と、ディスクフラグ５１３と、が１つのデータ構造として関連付けられて構成されている。
【００３３】
ラジオフラグ５１１は、ラジオ部４４１に非常用電力供給手段Ｅ２からの電力を供給するか否かを示すものである。このラジオフラグ５１１は、０であればラジオ部４４１に非常用電力供給手段Ｅ２からの電力を供給しない旨を示し、１であれば電力を供給する旨を示す。テレビフラグ５１２は、テレビ部４４２に非常用電力供給手段Ｅ２からの電力を供給するか否かを示すものである。このテレビフラグ５１２は、０であればテレビ部４４２に電力を供給しない旨を示し、１であれば電力を供給する旨を示す。ディスクフラグ５１３は、ディスク部４４３に非常用電力供給手段Ｅ２からの電力を供給するか否かを示すものである。このディスクフラグ５１３は、０であればディスク部４４３に電力を供給しない旨を示し、１であれば電力を供給する旨を示す。
【００３４】
動作設定情報５２０は、非常時における各部４４１，４４２，４４３の動作内容や画像の出力形態などに関する情報である。そして、動作設定情報５２０は、ラジオ自動選局フラグ５２１と、ラジオ選局設定情報５２２と、テレビ自動選局フラグ５２３と、テレビ選局設定情報５２４と、再生限定フラグ５２５と、音量固定フラグ５２６と、低音質フラグ５２７と、低画質フラグ５２８と、が１つのデータ構造として関連付けられて構成されている。なお、動作設定情報５２０は、ラジオ選局設定情報５２２およびテレビ選局設定情報５２４のうちの少なくともいずれか１つが組み込まれない場合がある。
【００３５】
ラジオ自動選局フラグ５２１は、非常時に例えば災害などに関する情報を優先的に放送するラジオ放送局（以下、非常用ラジオ放送局と適宜称す）、例えば公共放送団体によるラジオ放送局を自動的に選局（以下、自動選局と称す）し、この非常用ラジオ放送局のみを受信するか否かを示すものである。このラジオ自動選局フラグ５２１は、０であれば非常用ラジオ放送局の自動選局を実施しない旨を示し、１であれば非常用ラジオ放送局の自動選局を実施する旨を示す。ラジオ選局設定情報５２２は、利用者により設定入力され非常時に選局される１つのラジオ放送局に関する情報である。具体的には、このラジオ選局設定情報５２２は、ラジオ放送局の周波数、チャンネル番号、放送局名など、各放送局を特定可能な各種情報である。
【００３６】
テレビ自動選局フラグ５２３は、非常時に例えば災害などに関する情報を優先的に放送する例えば公共放送団体によるテレビ放送局（以下、非常用テレビ放送局と適宜称す）を自動選局し、この非常用テレビ放送局のみを受信するか否かを示すものである。このテレビ自動選局フラグ５２３は、０であれば非常用テレビ放送局の自動選局を実施しない旨を示し、１であれば非常用テレビ放送局の自動選局を実施する旨を示す。テレビ選局設定情報５２４は、利用者により設定入力され非常時に選局される１つのテレビ放送局に関する情報である。具体的には、このテレビ選局設定情報５２４は、テレビ放送局の周波数、チャンネル番号、放送局名など、各放送局を特定可能な各種情報である。
【００３７】
再生限定フラグ５２５は、非常時にディスク部４４３で実施可能な処理をディスクコンテンツの再生処理のみに限定するか否かを示すものである。この再生限定フラグ５２５は、０であればディスク部４４３で実施可能な処理を再生処理に限定せずに再生処理以外の処理、例えば所定の場面を検索する処理も実施可能である旨を示し、１であれば再生処理に限定する旨を示す。音量固定フラグ５２６は、非常時に音声出力部２００から出力させる音声の音量を例えば出荷時に予め設定された音量に固定するか否かを示すものである。ここで、音量固定フラグ５２６を利用者により予め設定された音量に固定するか否かを示すものとしてもよい。なお、この固定される音量を固定音量と適宜称して説明する。この音量固定フラグ５２６は、０であれば固定音量に設定しない旨すなわち音量を調整可能である旨を示し、１であれば固定音量に設定する旨すなわち音量を調整不可能である旨を示す。
【００３８】
低音質フラグ５２７は、非常時に音声出力部２００から出力させる音声の音質を所定のレベルに下げて固定するか否かを示すものである。なお、この所定のレベルに下げられた音質を低音質と適宜称して説明する。ここで、この低音質の形態としては、高音や低音の出力レベルを最低レベルに設定する形態や、ステレオの音声をモノラルで出力させる形態が例示できるが、これらに限らず消費電力を低減可能ないずれの形態を適用してもよい。この低音質フラグ５２７は、０であれば音質を低音質に固定せずに調整可能である旨を示し、１であれば低音質に固定する旨を示す。なお、低音質フラグ５２７が１の場合に、最初に音質を低音質に設定するだけで適宜調整可能である旨を示す構成としてもよい。
【００３９】
低画質フラグ５２８は、非常時に表示部３００で表示させる画像の画質を所定のレベルに下げて設定するか否かを示すものである。なお、この所定のレベルに下げられた画質を低画質と適宜称して説明する。ここで、この低画質の形態としては、解像度を最低レベルに設定したり、表示可能な色の数を最低限必要な数に減らしたり、カラーの画像を白黒で表示させたりする形態が例示できるが、これらに限らず消費電力を低減可能ないずれの形態を適用してもよい。この低画質フラグ５２８は、０であれば画質を低画質に固定せずに調整可能である旨を示し、１であれば低画質に固定する旨を示す。なお、低画質フラグ５２８が１の場合に、最初に画質を低画質に設定するだけで適宜調整可能である旨を示す構成としてもよい。
【００４０】
処理部４９０は、図示しない各種入出力ポート、例えば通常電源接続部４１０が接続される通常電源ポート、非常用電源接続部４２０が接続される非常用電源ポート、電力供給切換手段４３０が接続される供給切換ポート、情報出力処理手段４４０が接続される情報出力ポート、入力部４５０が接続される入力ポート、ＲＡＭ４６０が接続されるＲＡＭポート、ＲＯＭ４７０が接続されるＲＯＭポート、不揮発性メモリ４８０が接続される不揮発性メモリポート、音声出力部２００が接続される音声ポート、表示部３００が接続される表示ポートなどを有する。そして、処理部４９０は、図３に示すように、各種プログラムとして、検出手段としての電源接続検出手段４９１と、動作情報生成手段４９２と、処理制御手段としての情報出力制御手段４９３と、などを備えている。ここで、電源接続検出手段４９１および情報出力制御手段４９３にて、本発明の処理制御装置が構成されている。
【００４１】
電源接続検出手段４９１は、各電源接続部４１０，４２０に各電力供給手段Ｅ１，Ｅ２が接続されたことを検出すると、不揮発性メモリ４８０に記憶された非常時動作情報５００をＲＡＭ４６０に適宜展開する。具体的には、電源接続検出手段４９１は、各電源接続部４１０，４２０を介して印加される電力を検出すると、各電源接続部４１０，４２０に各電力供給手段Ｅ１，Ｅ２が新たに接続されたと認識して、その旨の新規接続検出信号を供給切換制御手段４９３Ａへ出力する。さらに、不揮発性メモリ４８０に非常時動作情報５００が記憶されていることを認識すると、この非常時動作情報５００をＲＡＭ４６０に展開する処理をする。また、非常時動作情報５００が記憶されていないことを認識すると、ＲＯＭ４７０に記憶された通常時動作情報をＲＡＭ４６０に展開する処理をする。そして、電源接続検出手段４９１は、検出した新たな接続が非常用電力供給手段Ｅ２の接続であることを認識すると、その旨の非常接続検出信号を情報出力制御手段４９３へ適宜出力する。また、新たな接続が通常電力供給手段Ｅ１の接続であることを認識すると、その旨の正常接続検出信号を動作情報生成手段４９２へ適宜出力する。
【００４２】
動作情報生成手段４９２は、非常時動作情報５００を適宜生成する処理をする。そして、動作情報生成手段４９２は、選択ソース情報生成手段４９２Ａと、動作設定情報生成手段４９２Ｂと、を備えている。
【００４３】
選択ソース情報生成手段４９２Ａは、選択ソース情報５１０を生成する。具体的には、選択ソース情報生成手段４９２Ａは、電源接続検出手段４９１から非常用電力供給手段Ｅ２が接続されていない旨の正常接続検出信号を取得すると、非常時に各部４４１，４４２，４４３をそれぞれ選択的に動作させるか否かの設定入力を促す表示画面を、表示部３００に適宜表示させる。そして、各部４４１，４４２，４４３をそれぞれ選択的に動作させる旨の設定入力を認識すると、ラジオフラグ５１１、テレビフラグ５１２、ディスクフラグ５１３をそれぞれ１に設定する。また、各部４４１，４４２，４４３をそれぞれ選択的に動作させない旨の設定入力を認識すると、各５１１，５１２，５１３をそれぞれ０に設定する。そして、選択ソース情報生成手段４９２Ａは、各フラグ５１１，５１２，５１３を組み込んだ選択ソース情報５１０を生成する。
【００４４】
動作設定情報生成手段４９２Ｂは、動作設定情報５２０を生成する。さらに、この動作設定情報５２０および選択ソース情報５１０を組み込んだ非常時動作情報５００を生成する。具体的には、動作設定情報生成手段４９２Ｂは、各フラグ５１１，５１２が１に設定されていることを認識すると、非常時に非常用ラジオ放送局、非常用テレビ放送局を自動選局するか否かの設定入力を促す表示画面を適宜表示させる。そして、自動選局する旨の設定入力を認識すると、ラジオ自動選局フラグ５２１、テレビ自動選局フラグ５２３を１に設定する。また、自動選局しない旨の設定入力を認識すると、各自動選局フラグ５２１，５２３を０に設定するとともに、非常時に受信するラジオ放送局、テレビ放送局の設定入力（以下、選局設定と称す）を促す表示画面を適宜表示させる。そして、特定のラジオ放送局、テレビ放送局に関する選局設定を認識すると、この設定されたラジオ放送局、テレビ放送局に関するラジオ選局設定情報５２２、テレビ選局設定情報５２４を生成する。
【００４５】
また、動作設定情報生成手段４９２Ｂは、ディスクフラグ５１３が１に設定されていることを認識すると、非常時に実施可能なディスク部４４３の動作を再生処理に限定するか否かの設定入力を促す表示画面を適宜表示させる。そして、再生処理に限定する旨の設定入力を認識すると再生限定フラグ５２５を１に設定し、再生処理に限定しない旨の設定入力を認識すると再生限定フラグ５２５を０に設定する。さらに、動作設定情報生成手段４９２Ｂは、非常時に音声出力部２００から出力させる音声の音量を固定音量に設定するか否かの設定入力を促す表示画面を適宜表示させる。そして、固定音量に設定する旨の設定入力を認識すると音量固定フラグ５２６を１に設定し、固定音量に設定しない旨の設定入力を認識すると音量固定フラグ５２６を０に設定する。また、非常時に音声出力部２００から出力させる音声を低音質に固定するか否かや、表示部３００に表示させる画像を低画質に固定するか否の設定入力を促す旨の表示画面を適宜表示させる。さらに、低音質や低画質に固定する旨の設定入力を認識すると低音質フラグ５２７、低画質フラグ５２８を１に設定し、低音質や低画質に固定しない旨の設定入力を認識すると各フラグ５２７，５２８を０に設定する。そして、動作設定情報生成手段４９２Ｂは、各フラグ５２１，５２３，５２５〜５２８、各選局設定情報５２２，５２４を組み込んだ動作設定情報５２０を生成する。さらに、各情報５１０，５２０を組み込んだ非常時動作情報５００を生成して、不揮発性メモリ４８０に適宜読み出し可能に記憶させる。
【００４６】
情報出力制御手段４９３は、各部４４１，４４２，４４３の動作を適宜制御して、音声出力部２００からラジオやテレビあるいはディスクコンテンツの音声を適宜出力させたり、表示部３００にテレビやディスクコンテンツの画像を適宜表示させる。そして、情報出力制御手段４９３は、供給切換制御手段４９３Ａと、音声形態設定手段４９３Ｂと、画像形態設定手段４９３Ｃと、ラジオ出力制御手段４９３Ｄと、テレビ出力制御手段４９３Ｅと、ディスク出力制御手段４９３Ｆと、などを備えている。ここで、各出力制御手段４９３Ｄ〜４９３Ｆは、本発明の出力処理手段、音声出力処理手段、および、画像表示処理手段としても機能する。
【００４７】
供給切換制御手段４９３Ａは、電力供給切換手段４３０の動作を適宜制御して、各電力供給手段Ｅ１，Ｅ２と、各部４４１，４４２，４４３と、を適宜選択的に接続する制御をする。具体的には、供給切換制御手段４９３Ａは、電源接続検出手段４９１から新規接続検出信号を取得した場合、電力供給切換手段４３０を制御して、通常電源接続部４１０を情報出力処理手段４４０の各部４４１，４４２，４４３の全てに接続させる。さらに、非常接続検出信号を取得すると、通常電源接続部４１０と、情報出力処理手段４４０と、の接続を解除させる。さらに、供給切換制御手段４９３Ａは、不揮発性メモリ４８０の非常時動作情報５００に組み込まれた各フラグ５１１，５１２，５１３が１に設定されていることを認識すると、この１に設定された各フラグ５１１，５１２，５１３に対応する各部５１１，５１２，５１３と、非常用電源接続部４２０と、を接続させる処理を実施する。各部５１１，５１２，５１３と、非常用電力供給手段Ｅ２とラジオ部４４１と、を接続させる処理をする。
【００４８】
音声形態設定手段４９３Ｂは、各部４４１，４４２，４４３からの音声信号に基づいて音声出力部２００から出力させる音声の出力形態を適宜設定する。具体的には、音声形態設定手段４９３Ｂは、ＲＡＭ４６０に展開された非常時動作情報５００の音量固定フラグ５２６が０に設定されていることを認識すると、入力部４５０から所定の音量に設定する旨の音量信号を取得する毎に、この音量信号に基づく音量設定情報をＲＡＭ４６０に記憶させる。すなわち、音量調整処理を適宜実施する。また、音声形態設定手段４９３Ｂは、音量固定フラグ５２６が１に設定されていることを認識すると、音声を固定音量で出力させる旨の音量設定情報をＲＡＭ４６０に記憶させる。そして、音量固定フラグ５２６が１の状態において入力部４５０から音量信号を取得した場合、この音量信号に基づく音量設定情報を新たに記憶させずに固定音量の音量設定情報を記憶させた状態を継続させて、すなわち音量を固定音量に固定して音量調整処理を実施しない。さらに、音声形態設定手段４９３Ｂは、ＲＡＭ４６０に通常時動作情報が展開されていることを認識すると、入力部４５０からの音量信号に基づく音量調整処理を適宜実施する。
【００４９】
さらに、音声形態設定手段４９３Ｂは、音声の音質を適宜設定する。非常時動作情報５００の低音質フラグ５２７が０に設定されていることを認識すると、入力部４５０から所定の音質に設定する旨の音質信号を取得する毎に、この音質信号に基づく音質設定情報をＲＡＭ４６０に記憶させる。すなわち、音質調整処理を適宜実施する。また、音声形態設定手段４９３Ｂは、低音質フラグ５２７が１に設定されていることを認識すると、音質を低音質に設定する旨の音質設定情報をＲＡＭ４６０に記憶させる。そして、低音質フラグ５２７が１の状態において入力部４５０から音質信号を取得した場合、この音質信号に基づく音質設定情報を新たに記憶させずに低音質の音質設定情報を記憶させた状態を継続させて、すなわち音質を低音質に固定して音質調整処理を実施しない。さらに、音声形態設定手段４９３Ｂは、ＲＡＭ４６０に通常時動作情報が展開されている場合、入力部４５０からの音質信号に基づく音質調整処理を適宜実施する。
【００５０】
画像形態設定手段４９３Ｃは、各部４４１，４４２，４４３からの画像信号に基づいて表示部３００に表示させる画像の表示形態を適宜設定する。具体的には、画像形態設定手段４９３Ｃは、ＲＡＭ４６０に展開された非常時動作情報５００の低画質フラグ５２８が０に設定されていることを認識すると、入力部４５０から所定の画質に設定する旨の画質信号を取得する毎に、この画質信号に基づく画質設定情報をＲＡＭ４６０に記憶させる。すなわち、画質調整処理を適宜実施する。また、画像形態設定手段４９３Ｃは、低画質フラグ５２８が１に設定されていることを認識すると、画質を低画質に設定する旨の画質設定情報をＲＡＭ４６０に記憶させる。そして、低画質フラグ５２８が１の状態において入力部４５０から画質信号を取得した場合、この画質信号に基づく画質設定情報を新たに記憶させずに低画質の画質設定情報を記憶させた状態を継続させて、すなわち画質を低画質に固定して画質調整処理を実施しない。さらに、画像形態設定手段４９３Ｃは、ＲＡＭ４６０に通常時動作情報が展開されている場合、入力部４５０からの画質信号に基づく画質調整処理を適宜実施する。
【００５１】
ラジオ出力制御手段４９３Ｄは、ラジオ部４４１で受信された所定のラジオ放送の音声を、音声形態設定手段４９３Ｂで設定された出力形態で音声出力部２００から出力させる処理をする。具体的には、ラジオ出力制御手段４９３Ｄは、ＲＡＭ４６０に展開された非常時動作情報５００のラジオ自動選局フラグ５２１が１に設定されていることを認識すると、非常用ラジオ放送局の放送を出力する旨のラジオ要求情報をラジオ処理手段４４１Ｂへ出力する。すなわち、非常用ラジオ放送局の自動選局処理を実施する。また、ラジオ出力制御手段４９３Ｄは、非常時動作情報５００にラジオ選局設定情報５２２が組み込まれていることを認識すると、このラジオ選局設定情報５２２のラジオ放送局に関するラジオ要求情報を出力する。さらに、ラジオ自動選局フラグ５２１が１の状態、または、ラジオ選局設定情報５２２が組み込まれている状態において、入力部４５０から所定のラジオ放送を出力する旨のラジオ選局信号を取得した場合、このラジオ放送局に関するラジオ要求情報を出力せずに、入力部４５０からのラジオ選局信号に基づく選局処理を実施しない。また、ラジオ出力制御手段４９３Ｄは、ラジオ自動選局フラグ５２１が０に設定されている場合、または、ラジオ選局設定情報５２２が組み込まれていない場合、入力部４５０からのラジオ選局信号に基づく選局処理を実施する。
【００５２】
また、ラジオ出力制御手段４９３Ｄは、ラジオ処理手段４４１Ｂからラジオ要求情報に対応するラジオ放送局のラジオ出力信号を取得する。さらに、このラジオ出力信号の音声を音声形態設定手段４９３Ｂで生成された音量設定情報、音質設定情報に基づく出力形態で出力させるための音声データを生成する。そして、ラジオ出力制御手段４９３Ｄは、この音声データを音声信号に適宜変換して、音声出力部２００へ出力する。
【００５３】
テレビ出力制御手段４９３Ｅは、テレビ部４４２で受信された所定のテレビ放送の音声や画像を、音声形態設定手段４９３Ｂで設定された出力形態で音声出力部２００から出力させたり表示部３００に表示させる処理をする。具体的には、テレビ出力制御手段４９３Ｅは、ＲＡＭ４６０の非常時動作情報５００のテレビ自動選局フラグ５２３が１に設定されていることを認識すると、非常用テレビ放送局の放送を出力する旨のテレビ要求情報をテレビ処理手段４４２Ｂへ出力する非常用テレビ放送局の自動選局処理を実施する。また、テレビ出力制御手段４９３Ｅは、非常時動作情報５００にテレビ選局設定情報５２４が組み込まれていることを認識すると、このテレビ選局設定情報５２４のテレビ放送局に関するテレビ要求情報を出力する。さらに、テレビ自動選局フラグ５２３が１の状態、または、テレビ選局設定情報５２４が組み込まれている状態において、入力部４５０から所定のテレビ放送を出力する旨のテレビ選局信号を取得した場合、このテレビ放送局に関するテレビ要求情報を出力せずに、入力部４５０からのテレビ選局信号に基づく選局処理を実施しない。また、テレビ出力制御手段４９３Ｅは、テレビ自動選局フラグ５２３が０に設定されている場合、または、テレビ選局設定情報５２４が組み込まれていない場合、入力部４５０からのテレビ選局信号に基づく選局処理を実施する。
【００５４】
また、テレビ出力制御手段４９３Ｅは、テレビ処理手段４４２Ｂからテレビ要求情報に対応するテレビ放送局のテレビ出力信号を取得する。さらに、このテレビ出力信号の音声を音声形態設定手段４９３Ｂで生成された音量設定情報、音質設定情報に基づく出力形態で出力させるための音声データを生成し、この音声データを音声信号に適宜変換して音声出力部２００へ出力する。また、このテレビ出力信号の画像を画像形態設定手段４９３Ｃで生成された画質設定情報に基づく表示形態で表示させるための画像データを生成する。そして、この画像データを画像信号に適宜変換して、表示部３００へ出力する。
【００５５】
ディスク出力制御手段４９３Ｆは、ディスク部４４３で読み取られたＣＤやＤＶＤなどに記録されたディスクコンテンツの音声や画像を、音声形態設定手段４９３Ｂで設定された出力形態で音声出力部２００から出力させたり表示部３００に表示させる処理をする。具体的には、ディスク出力制御手段４９３Ｆは、ＲＡＭ４６０の非常時動作情報５００の再生限定フラグ５２５が１に設定されていることを認識すると、以下のような処理を実施する。すなわち、入力部４５０から所定のディスクコンテンツを再生する旨の再生信号を取得した場合、このディスクコンテンツのディスクコンテンツデータを取得する旨のコンテンツ要求情報をディスク処理手段４４３Ｃへ出力する。また、入力部４５０から例えば所定の場面を検索する旨の検索信号など再生処理以外の処理に関する信号を取得した場合、この信号に対応するディスクコンテンツデータを取得する旨のコンテンツ要求情報を出力せずに、ディスク部４４３の動作を再生処理に限定する。また、ディスク出力制御手段４９３Ｆは、再生限定フラグ５２５が０に設定されていることを認識すると、入力部４５０から再生信号や検索信号など所定の処理を実施する旨の各種信号を取得する毎に、この各種処理に対応するディスクコンテンツデータを取得する旨のコンテンツ要求情報をディスク処理手段４４３Ｃへ出力する。
【００５６】
そして、ディスク出力制御手段４９３Ｆは、ディスク処理手段４４３Ｃからコンテンツ要求情報に対応するディスクコンテンツのディスク出力信号を取得する。さらに、このディスク出力信号の音声を音声形態設定手段４９３Ｂで生成された音量設定情報、音質設定情報に基づく出力形態で出力させるための音声データを生成し、この音声データを音声信号に適宜変換して音声出力部２００へ出力する。また、このディスク出力信号の画像を画像形態設定手段４９３Ｃで生成された画質設定情報に基づく表示形態で表示させるための画像データを生成し、この画像データを画像信号に適宜変換して表示部３００へ出力する。
【００５７】
〔車載用ＡＶシステムの動作〕
次に、車載用ＡＶシステム１００の動作として、ラジオ放送、テレビ放送、ディスクコンテンツの出力処理について図面に基づいて説明する。図４および図５は、ラジオ放送、テレビ放送、ディスクコンテンツの出力処理を示すフローチャートである。図６は、選択ソース情報の生成処理を示すフローチャートである。図７および図８は、動作設定情報の生成処理を示すフローチャートである。図９は、非常時動作処理を示すフローチャートである。図１０は、ラジオ出力処理を示すフローチャートである。図１１は、音声出力形態の設定処理を示すフローチャートである。図１２は、テレビ出力処理を示すフローチャートである。図１３は、ディスク出力処理を示すフローチャートである。
【００５８】
まず、車載用ＡＶシステム１００の車載用ＡＶ装置４００は、図４に示すように、処理部４９０の電源接続検出手段４９１にて、通常電力供給手段Ｅ１または非常用電力供給手段Ｅ２が接続されたことを認識すると（ステップＳ１０１）、新規接続検出信号を情報出力制御手段４９３の供給切換制御手段４９３Ａへ出力する。そして、供給切換制御手段４９３Ａは、新規接続検出信号を取得すると、電力供給切換手段４３０を制御して、通常電源接続部４１０と、情報出力処理手段４４０の各部４４１，４４２，４４３と、を接続する（ステップＳ１０２）。この後、電源接続検出手段４９１は、不揮発性メモリ４８０から非常時動作情報５００を読み出す処理を実施して（ステップＳ１０３）、非常時動作情報５００を読み出せたか否かを判断する（ステップＳ１０４）。このステップＳ１０４において、非常時動作情報５００を読み出せたと判断した場合、この非常時動作情報５００をＲＡＭ４６０に展開する（ステップＳ１０５）。一方、ステップＳ１０４において、非常時動作情報５００を読み出せない、すなわち非常時動作情報５００が不揮発性メモリ４８０に記憶されていないと判断した場合、ＲＯＭ４７０に記憶された通常時動作情報をＲＡＭ４６０に展開する（ステップＳ１０６）。
【００５９】
そして、電源接続検出手段４９１は、ステップＳ１０５またはステップＳ１０６の処理を実施した後、アクセサリ電源がオンされたことを認識すると（ステップＳ１０７）、図５に示すように、非常用電力供給手段Ｅ２が接続されているか否かを判断する（ステップＳ１０８）。このステップＳ１０８において、処理部４９０は、電源接続検出手段４９１で非常用電力供給手段Ｅ２が接続されていなく通常電力供給手段Ｅ１が接続されていると判断した場合、動作情報生成手段４９２の選択ソース情報生成手段４９２Ａにて、非常時動作情報５００を生成する旨の設定入力を認識したか否か、すなわち非常時動作の設定が要求されているか否かを判断する（ステップＳ１０９）。そして、処理部４９０は、ステップＳ１０９において、選択ソース情報生成手段４９２Ａで非常時動作の設定が要求されていないと判断した場合、情報出力制御手段４９３の各出力制御手段４９３Ｄ〜４９３Ｆにて、通常時動作情報に基づく各種処理、すなわち通常時動作処理を実施する旨の設定入力を認識したか否かを判断する（ステップＳ１１０）。
【００６０】
このステップＳ１１０において、通常時動作処理の設定入力を認識していないと判断した場合、アクセサリ電源がオフされたか否かを判断する（ステップＳ１１１）。そして、ステップＳ１１１において、アクセサリ電源がオフされていないと判断した場合、ステップＳ１１０に戻る。一方、ステップＳ１１１において、アクセサリ電源がオフされたと判断した場合、出力処理を終了する。また、ステップＳ１１０において、通常時動作処理の設定入力を認識したと判断した場合、この設定入力された通常時動作処理を実施して（ステップＳ１１２）、ステップＳ１１１の処理を実施する。
【００６１】
また、ステップＳ１０９において、選択ソース情報生成手段４９２Ａは、非常時動作の設定が要求されていると判断した場合、選択ソース情報５１０の生成処理を実施する（ステップＳ１１３）。そして、このステップＳ１１３における選択ソース情報５１０の生成処理を実施した後、動作情報生成手段４９２は、動作設定情報生成手段４９２Ｂにて、動作設定情報５２０の生成処理を実施する（ステップＳ１１４）。さらに、このステップＳ１１４における動作設定情報５２０の生成処理を実施した後、動作設定情報生成手段４９２Ｂは、ステップＳ１１３で生成された選択ソース情報５１０と、ステップＳ１１４で生成された動作設定情報５２０と、を組み込んだ非常時動作情報５００を生成する（ステップＳ１１５）。そして、不揮発性メモリ４８０に登録して（ステップＳ１１６）、ステップＳ１１０の処理を実施する。
【００６２】
さらに、ステップＳ１０８において、電源接続検出手段４９１は、非常用電力供給手段Ｅ２が接続されていると判断した場合、非常接続検出信号を供給切換制御手段４９３Ａへ出力する。そして、供給切換制御手段４９３Ａは、非常接続検出信号を取得すると、非常時動作情報５００がＲＡＭ４６０に展開されているか否かを判断する（ステップＳ１１７）。このステップＳ１１７において、非常時動作情報５００が展開されていないと判断した場合、ステップＳ１１０の処理を実施する。一方、ステップＳ１１７において、処理部４９０は、非常時動作情報５００が展開されていると判断した場合、非常時動作情報５００に基づく各種処理、すなわち非常時動作処理を実施して（ステップＳ１１８）、出力処理を終了する。
【００６３】
一方、選択ソース情報５１０の生成処理では、選択ソース情報生成手段４９２Ａは、図６に示すように、非常時にラジオ部４４１を選択的に動作させる旨の設定入力を認識したか否かを判断する（ステップＳ２０１）。このステップＳ２０１において、ラジオ部４４１を選択する旨を認識したと判断した場合、ラジオフラグ５１１を１に設定する（ステップＳ２０２）。一方、ステップＳ２０１において、ラジオ部４４１を選択しない旨を認識したと判断した場合、ラジオフラグ５１１を０に設定する（ステップＳ２０３）。この後、非常時にテレビ部４４２を選択する旨を認識したか否かを判断する（ステップＳ２０４）。そして、このステップＳ２０４において、テレビ部４４２を選択する旨を認識したと判断した場合、テレビフラグ５１２を１に設定する（ステップＳ２０５）。一方、ステップＳ２０４において、テレビ部４４２を選択しない旨を認識したと判断した場合、テレビフラグ５１２を０に設定する（ステップＳ２０６）。
【００６４】
この後、選択ソース情報生成手段４９２Ａは、非常時にディスク部４４３を選択する旨を認識したか否かを判断する（ステップＳ２０７）。このステップＳ２０７において、ディスク部４４３を選択する旨を認識したと判断した場合、ディスクフラグ５１３を１に設定する（ステップＳ２０８）。一方、ステップＳ２０７において、ディスク部４４３を選択しない旨を認識したと判断した場合、ディスクフラグ５１３を０に設定する（ステップＳ２０９）。そして、選択ソース情報生成手段４９２Ａは、各フラグ５１１〜５１３を組み込んだ選択ソース情報５１０を生成して（ステップＳ２１０）、処理を終了する。
【００６５】
また、動作設定情報５２０の生成処理では、動作設定情報生成手段４９２Ｂは、図７に示すように、選択ソース情報生成手段４９２Ａで生成された選択ソース情報５１０のラジオフラグ５１１が１に設定されているか否かを判断する（ステップＳ３０１）。このステップＳ３０１において、１に設定されていると判断した場合、非常用ラジオ放送局の自動選局を実施する旨の設定入力を認識したか否かを判断する（ステップＳ３０２）。そして、ステップＳ３０２において、自動選局を実施する旨を認識したと判断した場合、ラジオ自動選局フラグ５２１を１に設定する（ステップＳ３０３）。この後、選択ソース情報５１０のテレビフラグ５１２が１に設定されているか否かを判断する（ステップＳ３０４）。
【００６６】
このステップＳ３０４において、動作設定情報生成手段４９２Ｂは、１に設定されていると判断した場合、非常用テレビ放送局の自動選局を実施する旨の設定入力を認識したか否かを判断する（ステップＳ３０５）。そして、ステップＳ３０５において、自動選局を実施する旨を認識したと判断した場合、テレビ自動選局フラグ５２３を１に設定する（ステップＳ３０６）。この後、選択ソース情報５１０のディスクフラグ５１３が１に設定されているか否かを判断する（ステップＳ３０７）。そして、ステップＳ３０７において、１に設定されていると判断した場合、非常時にディスク部４４３の動作を再生処理に限定する旨の設定入力を認識したか否かを判断する（ステップＳ３０８）。このステップＳ３０８において、再生処理に限定する旨を認識したと判断した場合、再生限定フラグ５２５を１に設定する（ステップＳ３０９）。一方、ステップＳ３０８において、再生処理に限定しない旨を認識したと判断した場合、再生限定フラグ５２５を０に設定する（ステップＳ３１０）。
【００６７】
また、ステップＳ３０１において、動作設定情報生成手段４９２Ｂは、ラジオフラグ５１１が０に設定されていると判断した場合、ステップＳ３０４の処理を実施する。さらに、ステップＳ３０２において、非常用ラジオ放送局の自動選局を実施しない旨を認識したと判断した場合、ラジオ自動選局フラグ５２１を０に設定して（ステップＳ３１１）、非常時に受信するラジオ放送局の選局設定を実施する旨の設定入力を認識したか否かを判断する（ステップＳ３１２）。このステップＳ３１２において、ラジオ放送局の選局設定を実施しない旨を認識したと判断した場合、ステップＳ３０４の処理を実施する。一方、ステップＳ３１２において、ラジオ放送局の選局設定を実施する旨を認識したと判断した場合、このラジオ放送局に関するラジオ選局設定情報５２２を生成して（ステップＳ３１３）、ステップＳ３０４の処理を実施する。
【００６８】
そして、ステップＳ３０４において、動作設定情報生成手段４９２Ｂは、テレビフラグ５１２が０に設定されていると判断した場合、ステップＳ３０７の処理を実施する。また、ステップＳ３０５において、非常用テレビ放送局の自動選局を実施しない旨を認識したと判断した場合、テレビ自動選局フラグ５２３を０に設定して（ステップＳ３１４）、非常時に受信するテレビ放送局の選局設定を実施する旨の設定入力を認識したか否かを判断する（ステップＳ３１５）。このステップＳ３１５において、テレビ放送局の選局設定を実施しない旨を認識したと判断した場合、ステップＳ３０７の処理を実施する。一方、ステップＳ３１５において、テレビ放送局の選局設定を実施する旨を認識したと判断した場合、このテレビ放送局に関するテレビ選局設定情報５２４を生成して（ステップＳ３１６）、ステップＳ３０７の処理を実施する。
【００６９】
さらに、動作設定情報生成手段４９２Ｂは、ステップＳ３０７においてディスクフラグ５１３が０に設定されていると判断した場合、あるいは、ステップＳ３０９，Ｓ３１０の処理を実施した場合、図８に示すように、非常時の音量を固定音量に設定する旨の設定入力を認識したか否かを判断する（ステップＳ３１７）。このステップＳ３１７において、固定音量に設定する旨を認識したと判断した場合、音量固定フラグ５２６を１に設定する（ステップＳ３１８）。一方、ステップＳ３１７において、固定音量に設定しない旨を認識したと判断した場合、音量固定フラグ５２６を０に設定する（ステップＳ３１９）。そして、ステップＳ３１８，Ｓ３１９の処理を実施すると、非常時の音質を低音質に設定する旨の設定入力を認識したか否かを判断する（ステップＳ３２０）。
【００７０】
このステップＳ３２０において、動作設定情報生成手段４９２Ｂは、低音質に設定する旨を認識したと判断した場合、低音質フラグ５２７を１に設定する（ステップＳ３２１）。一方、ステップＳ３２０において、低音質に設定しない旨を認識したと判断した場合、低音質フラグ５２７を０に設定する（ステップＳ３２２）。さらに、ステップＳ３２１，Ｓ３２２の処理を実施すると、非常時の画質を低画質に設定する旨の設定入力を認識したか否かを判断する（ステップＳ３２３）。このステップＳ３２３において、低画質に設定する旨を認識したと判断した場合、低画質フラグ５２８を１に設定する（ステップＳ３２４）。一方、ステップＳ３２３において、低画質に設定しない旨を認識したと判断した場合、低画質フラグ５２８を０に設定する（ステップＳ３２５）。そして、動作設定情報生成手段４９２Ｂは、各フラグ５２１，５２３，５２５〜５２８、各選局設定情報５２２，５２４を組み込んだ動作設定情報５２０を生成して（ステップＳ３２６）、処理を終了する。
【００７１】
一方、非常時動作処理では、供給切換制御手段４９３Ａは、図９に示すように、電力供給切換手段４３０を制御して、通常電源接続部４１０と、情報出力処理手段４４０の各部４４１，４４２，４４３と、の接続を解除する（ステップＳ４０１）。そして、ＲＡＭ４６０の非常時動作情報５００のラジオフラグ５１１が１に設定されているか否かを判断する（ステップＳ４０２）。このステップＳ４０２において、情報出力制御手段４９３は、１に設定されていると判断した場合、電力供給切換手段４３０を制御して、非常用電力供給手段Ｅ２と、ラジオ部４４１と、を接続し（ステップＳ４０３）、ラジオ出力処理を実施する（ステップＳ４０４）。そして、供給切換制御手段４９３Ａは、ステップＳ４０２においてラジオフラグ５１１が０に設定されていると判断した場合、あるいは、ステップＳ４０４の処理が実施された場合、テレビフラグ５１２が１に設定されているか否かを判断する（ステップＳ４０５）。このステップＳ４０５において、情報出力制御手段４９３は、１に設定されていると判断した場合、非常用電力供給手段Ｅ２と、テレビ部４４２と、を接続し（ステップＳ４０６）、テレビ出力処理を実施する（ステップＳ４０７）。
【００７２】
また、供給切換制御手段４９３Ａは、ステップＳ４０５においてテレビフラグ５１２が０に設定されていると判断した場合、あるいは、ステップＳ４０７の処理が実施された場合、ディスクフラグ５１３が１に設定されているか否かを判断する（ステップＳ４０８）。そして、ステップＳ４０８において、情報出力制御手段４９３は、１に設定されていると判断した場合、非常用電力供給手段Ｅ２と、ディスク部４４３と、を接続し（ステップＳ４０９）、ディスク出力処理を実施する（ステップＳ４１０）。この後、情報出力制御手段４９３は、アクセサリ電源がオフされたか否かを判断する（ステップＳ４１１）。このステップＳ４１１において、アクセサリ電源がオフされたと判断した場合、処理を終了する。一方、ステップＳ４１１において、アクセサリ電源がオフされていないと判断した場合、ステップＳ４０２に戻る。
【００７３】
そして、ラジオ出力処理では、情報出力制御手段４９３は、図１０に示すように、ラジオ出力制御手段４９３Ｄでラジオ部４４１をオンする旨の設定入力を認識すると（ステップＳ５０１）、音声形態設定手段４９３Ｂにて、音声出力形態の設定処理を実施する（ステップＳ５０２）。このステップＳ５０２における音声出力形態の設定処理を実施した後、ラジオ出力制御手段４９３Ｄは、ラジオ自動選局フラグ５２１が１に設定されているか否かを判断する（ステップＳ５０３）。このステップＳ５０３において、１に設定されていると判断した場合、ラジオ処理手段４４１Ｂの動作を制御して、非常用ラジオ放送局を選局する（ステップＳ５０４）。そして、ラジオ出力制御手段４９３Ｄは、選局したラジオ放送の音声を音声形態設定手段４９３Ｂで適宜設定した出力形態で音声出力部２００から出力させる処理をする（ステップＳ５０５）。この後、ラジオ出力制御手段４９３Ｄは、ラジオ部４４１をオフする旨の設定入力を認識したか否かを判断する（ステップＳ５０６）。このステップＳ５０６において、オフする旨を認識したと判断した場合、処理を終了する。一方、ステップＳ５０６において、オフする旨を認識していないと判断した場合、ステップＳ５０５に戻る。
【００７４】
また、ステップＳ５０３において、ラジオ自動選局フラグ５２１が０に設定されていると判断した場合、非常時動作情報５００にラジオ選局設定情報５２２が組み込まれているか否か、すなわち非常時のラジオ放送局が選局設定されているか否かを判断する（ステップＳ５０７）。このステップＳ５０７において、選局設定されていると判断した場合、ラジオ処理手段４４１Ｂの動作を制御して、この選局設定されたラジオ放送局を選局し（ステップＳ５０８）、ステップＳ５０５の処理を実施する。一方、ステップＳ５０７において、選局設定されていないと判断した場合、例えば入力部４５０の入力操作に基づいてラジオ放送局を選局して、ステップＳ５０５の処理を実施する。
【００７５】
一方、音声出力形態の設定処理では、音声形態設定手段４９３Ｂは、図１１に示すように、音量固定フラグ５２６が１に設定されているか否かを判断する（ステップＳ６０１）。このステップＳ６０１において、１に設定されていると判断した場合、音量を固定音量に設定して（ステップＳ６０２）、低音質フラグ５２７が１に設定されているか否かを判断する（ステップＳ６０３）。このステップＳ６０３において、１に設定されていると判断した場合、音質を低音質に設定して（ステップＳ６０４）、処理を終了する。また、ステップＳ６０１において、音量固定フラグ５２６が０に設定されていると判断した場合、音量を固定音量に設定せずにステップＳ６０３の処理を実施する。さらに、ステップＳ６０３において、音量固定フラグ５２６が０に設定されていると判断した場合、音質を低音質に設定せずに処理を終了する。
【００７６】
そして、テレビ出力処理では、情報出力制御手段４９３は、図１２に示すように、テレビ出力制御手段４９３Ｅでテレビ部４４２をオンする旨の設定入力を認識すると（ステップＳ７０１）、図１１に示すような音声出力形態の設定処理を実施する（ステップＳ７０２）。このステップＳ７０２における音声出力形態の設定処理を実施した後、画像形態設定手段４９３Ｃは、低画質フラグ５２８が１に設定されているか否かを判断する（ステップＳ７０３）。このステップＳ７０３において、１に設定されていると判断した場合、画質を低画質に設定して（ステップＳ７０４）、テレビ自動選局フラグ５２３が１に設定されているか否かを判断する（ステップＳ７０５）。また、ステップＳ７０３において、低画質フラグ５２８が０に設定されていると判断した場合、画質を低画質に設定せずにステップＳ７０５の処理を実施する。
【００７７】
このステップＳ７０５において、１に設定されていると判断した場合、非常用テレビ放送局を選局する（ステップＳ７０６）。そして、テレビ出力制御手段４９３Ｅは、選局したテレビ放送の音声を音声形態設定手段４９３Ｂで適宜設定した出力形態で音声出力部２００から出力させるとともに、画像を画像形態設定手段４９３Ｃで適宜設定した表示形態で表示部３００に表示させる処理をする（ステップＳ７０７）。この後、テレビ出力制御手段４９３Ｅは、テレビ部４４２をオフする旨の設定入力を認識したか否かを判断する（ステップＳ７０８）。このステップＳ７０８において、オフする旨を認識したと判断した場合、処理を終了する。一方、ステップＳ７０８において、オフする旨を認識していないと判断した場合、ステップＳ７０７に戻る。
【００７８】
また、ステップＳ７０５において、テレビ自動選局フラグ５２３が０に設定されていると判断した場合、テレビ選局設定情報５２４に基づいて、非常時のテレビ放送局が選局設定されているか否かを判断する（ステップＳ７０９）。このステップＳ７０９において、選局設定されていると判断した場合、この選局設定されたテレビ放送局を選局し（ステップＳ７１０）、ステップＳ７０７の処理を実施する。一方、ステップＳ７０９において、選局設定されていないと判断した場合、例えば入力部４５０の入力操作に基づいてテレビ放送局を選局して、ステップＳ７０７の処理を実施する。
【００７９】
さらに、ディスク出力処理では、情報出力制御手段４９３は、図１３に示すように、ディスク出力制御手段４９３Ｆでディスク部４４３をオンする旨の設定入力を認識すると（ステップＳ８０１）、図１１に示すような音声出力形態の設定処理を実施する（ステップＳ８０２）。このステップＳ８０２における音声出力形態の設定処理を実施した後、低画質フラグ５２８が１に設定されているか否かを判断する（ステップＳ８０３）。このステップＳ８０３において、１に設定されていると判断した場合、画質を低画質に設定して（ステップＳ８０４）、再生限定フラグ５２５が１に設定されているか否かを判断する（ステップＳ８０５）。また、ステップＳ８０３において、低画質フラグ５２８が０に設定されていると判断した場合、低画質に設定せずにステップＳ８０５の処理を実施する。このステップＳ８０５において、１に設定されていると判断した場合、ディスク出力制御手段４９３Ｆは、ディスク部４４３を再生処理のみを実施可能な状態に設定する（ステップＳ８０６）。この後、ディスク出力制御手段４９３Ｆは、ディスクコンテンツを再生する旨の設定入力を認識すると、このディスクコンテンツの音声を音声形態設定手段４９３Ｂで適宜設定した出力形態で出力させるとともに、画像を画像形態設定手段４９３Ｃで適宜設定した表示形態で表示させる処理をする（ステップＳ８０７）。この後、ディスク出力制御手段４９３Ｆは、ディスク部４４３をオフする旨の設定入力を認識したか否かを判断する（ステップＳ８０８）。このステップＳ８０８において、オフする旨を認識したと判断した場合、処理を終了する。一方、ステップＳ８０８において、オフする旨を認識していないと判断した場合、ステップＳ８０７に戻る。
【００８０】
また、ステップＳ８０５において、再生限定フラグ５２５が０に設定されていると判断した場合、ディスク出力制御手段４９３Ｆは、ディスク部４４３を全処理実施可能な状態に設定する（ステップＳ８０９）。そして、ディスク出力制御手段４９３Ｆは、ディスクコンテンツを再生する旨や所定の場面を検索する旨などの設定入力を認識すると、この設定入力に対応するディスクコンテンツに対するステップＳ８０７の処理を実施する。
【００８１】
〔車載用ＡＶシステムの作用効果〕
上述したように、上記実施の形態では、車載用ＡＶ装置４００の処理部４９０は、通常電源接続部４１０に通常電力供給手段Ｅ１が接続され、非常用電源接続部４２０に非常用電力供給手段Ｅ２が接続されていないことを検出すると、通常電力供給手段Ｅ１から供給される電力によりラジオ部４４１、テレビ部４４２、ディスク部４４３で全ての処理を実施可能な状態に制御する。また、処理部４９０は、非常用電源接続部４２０に非常用電力供給手段Ｅ２が接続されたことを検出すると、例えば音声形態設定手段４９３Ｂにて、非常用電力供給手段Ｅ２から供給される電力によりラジオ放送やテレビ放送あるいはディスクコンテンツの音声を低音質に固定させて出力させる状態に制御する。すなわち、処理部４９０は、非常用電力供給手段Ｅ２から供給される電力により各部４４１，４４２，４４３などで所定の処理のみを実施可能な状態に制御する。このため、処理部４９０は、通常電力供給手段Ｅ１から供給される電力の減少で例えば各種情報の出力処理を実施できないおそれがある場合などの非常時に、非常用電力供給手段Ｅ２からの電力により各部４４１，４４２，４４３などで所定の処理以外の処理を実施させることがない。したがって、車載用ＡＶ装置４００は、非常用電力供給手段Ｅ２からの電力により各部４４１，４４２，４４３などで全ての処理を実施可能な状態に制御する構成と比べて、非常用電力供給手段Ｅ２の消費電力を低減させることができ、各部４４１，４４２，４４３をより長い時間動作させることができる。また、通常電力供給手段Ｅ１の電力がなくなった場合でも、二次電池を利用することなく各部４４１，４４２，４４３を動作させることができるので、車載用ＡＶ装置４００の大型化やコストの増大を招くことがない。また、資源の無駄を省くことができる。よって、車載用ＡＶ装置４００は、各部４４１，４４２，４４３などにおける処理の実施状態を適切に制御できる。
【００８２】
そして、処理部４９０は、非常用電力供給手段Ｅ２が接続されたことを検出すると、各部４４１，４４２，４４３のうちの１つまたは２つで全ての処理を実施不可能な状態に制御する。このため、処理部４９０は、非常用電力供給手段Ｅ２からの電力により各部４４１，４４２，４４３のうちの１つまたは２つで全ての処理を実施させることがない。したがって、車載用ＡＶ装置４００は、非常用電力供給手段Ｅ２からの電力により各部４４１，４４２，４４３の全てで所定の処理のみを実施可能な状態に制御する構成と比べて、非常用電力供給手段Ｅ２の消費電力を低減させることができ、各部４４１，４４２，４４３をさらに長い時間動作させることができる。
【００８３】
また、処理部４９０は、電力供給切換手段４３０を制御して、非常用電力供給手段Ｅ２と、各部４４１，４４２，４４３のうちの１つまたは２つと、を接続させないことにより、各部４４１，４４２，４４３のうちの１つまたは２つで全ての処理を実施不可能な状態にする。このため、処理部４９０は、電力供給切換手段４３０に非常用電力供給手段Ｅ２と、各部４４１，４４２，４４３と、の接続状態を切り換えさせるだけの簡単な構成で、各部４４１，４４２，４４３のうちの１つまたは２つで全ての処理を実施不可能な状態にできる。したがって、車載用ＡＶ装置４００は、各部４４１，４４２，４４３における処理の実施状態を容易に制御できる。
【００８４】
また、処理部４９０は、各出力制御手段４９３Ｄ，４９３Ｅにて、各部４４１，４４２に、利用者により設定されたラジオ放送局やテレビ放送局を選局させ、この放送局の放送のみを受信させる。このため、車載用ＡＶ装置４００は、利用者により設定された放送以外の放送を受信することがなく、全ての放送を受信可能な構成と比べて、非常用電力供給手段Ｅ２の消費電力を低減させることができる。したがって、各部４４１，４４２をさらに長い時間動作させることができる。また、車載用ＡＶ装置４００は、利用者に例えばラジオ放送局の選局設定を実施させることなく利用者の嗜好に合うラジオ放送を出力させることができ、非常時であっても利用者を癒すことができる。
【００８５】
そして、各出力制御手段４９３Ｄ，４９３Ｅは、各部４４１，４４２に、例えば災害などに関する情報を優先的に放送する非常用ラジオ放送局や非常用テレビ放送局を選局させ、この放送局の放送のみを受信させる。このため、車載用ＡＶ装置４００は、例えば非常用ラジオ放送局の放送以外の放送を受信することがなく、全ての放送を受信可能な構成と比べて、非常用電力供給手段Ｅ２の消費電力を低減させることができる。したがって、各部４４１，４４２をさらに長い時間動作させることができる。また、車載用ＡＶ装置４００は、利用者に例えば非常用ラジオ放送局の選局設定を実施させることなく災害などに関するラジオ放送を聴取させることができ、利用者の手を煩わせることなく迅速に災害などに関する情報を提供できる。
【００８６】
また、ディスク出力制御手段４９３Ｆは、ディスク部４４３に、ディスクコンテンツの再生処理のみを限定的に実施させる。このため、車載用ＡＶ装置４００は、再生処理に加え所定場面の検索処理などを実施させる構成と比べて、非常用電力供給手段Ｅ２の消費電力を低減でき、ディスクコンテンツをより長い間出力できる。
【００８７】
さらに、音声形態設定手段４９３Ｂは、ラジオ放送やテレビ放送あるいはディスクコンテンツの音声の音量を固定音量に固定する制御をする。このため、車載用ＡＶ装置４００は、固定音量以外の音量で音声を出力することがなく、音量を調整可能な構成と比べて、非常用電力供給手段Ｅ２の消費電力をより低減でき、ラジオ放送などをより長い間出力できる。
【００８８】
そして、音声形態設定手段４９３Ｂは、ラジオ放送などの音声の音質を低音質に固定する制御をする。このため、車載用ＡＶ装置４００は、低音質以外の音質で音声を出力することがなく、音質を調整可能な構成や例えば高音の出力レベルを最高レベルに設定する構成と比べて、非常用電力供給手段Ｅ２の消費電力をさらに低減でき、ラジオ放送などをさらに長い間出力できる。
【００８９】
また、画像形態設定手段４９３Ｃは、テレビ放送やディスクコンテンツの画像の画質を低画質に固定する制御をする。このため、車載用ＡＶ装置４００は、低画質以外の画質で画像を表示させることがなく、画質を調整可能な構成や例えば解像度を最高レベルに設定する構成と比べて、非常用電力供給手段Ｅ２の消費電力をさらに低減でき、テレビ放送などをさらに長い間出力できる。
【００９０】
さらに、各手段４９３Ｂ〜４９３Ｆは、不揮発性メモリ４８０に記憶された動作設定情報５２０に基づいて、限定的に実施させる処理内容を認識する。このため、車載用ＡＶ装置４００は、動作設定情報５２０を参照するだけの簡単な方法で限定的に実施させる処理内容を認識でき、さらに迅速にラジオ放送などを出力できる。
【００９１】
また、供給切換制御手段４９３Ａは、不揮発性メモリ４８０に記憶された選択ソース情報５１０に基づいて、非常用電源接続部４２０と接続する各部４４１，４４２，４４３を認識する。このため、供給切換制御手段４９３Ａは、選択ソース情報５１０を参照するだけの簡単な方法で非常用電源接続部４２０と接続する各部４４１，４４２，４４３を認識でき、非常用電源接続部４２０と、各部４４１，４４２，４４３と、を迅速に接続できる。したがって、車載用ＡＶ装置４００は、より迅速にラジオ放送などを出力できる。
【００９２】
そして、動作情報生成手段４９２は、利用者による入力操作に基づいて、選択ソース情報５１０および動作設定情報５２０を組み込んだ非常時動作情報５００を生成して不揮発性メモリ４８０に記憶させる。このため、車載用ＡＶ装置４００は、利用者の嗜好に合わせた出力状態でラジオ放送などを出力できる。したがって、車載用ＡＶ装置４００の利便性を高めることができる。
【００９３】
さらに、非常時動作情報５００を、不揮発性を有する不揮発性メモリ４８０に記憶させている。このため、車載用ＡＶ装置４００は、各電力供給手段Ｅ１，Ｅ２からの電力供給が停止された後に再開された場合であっても、従前に利用者により設定された各種状態に基づいてラジオ放送などを出力でき、各電力供給手段Ｅ１，Ｅ２からの電力供給が開始される毎に利用者に設定操作を実施させることがない。したがって、車載用ＡＶ装置４００の利便性をより高めることができる。
【００９４】
また、本発明の処理制御装置を移動体としての車両に搭載される車載用ＡＶ装置４００に適用している。このため、車載用ＡＶ装置４００は、通常電力供給手段Ｅ１の電力がなくなったり災害や故障などで、例えば車両が孤立した状態で移動不可能になったとしても、処理制御装置を設けない構成と比べて、非常用電力供給手段Ｅ２からの電力で各放送やディスクコンテンツをより長い間出力できる。したがって、利便性が高い車載用ＡＶ装置４００を提供できる。
【００９５】
〔実施の形態の変形〕
なお、本発明は、上述した一実施の形態に限定されるものではなく、本発明の目的を達成できる範囲で以下に示される変形をも含むものである。
【００９６】
すなわち、例えば図１４および図１５に示すような構成などとしてもよい。具体的には、車載用ＡＶシステム６００の車載用ＡＶ装置７００に設けられた処理部７２０には、図１４に示すように、通常電力供給手段Ｅ１に接続され通常電力供給手段Ｅ１の電力量の変化状態を検出する電力量検出手段８００が着脱可能に接続されている。そして、演算手段としての処理部７２０は、図１５に示すような認識手段としての電力変化認識手段７２１にて、電力量検出手段８００から通常電力供給手段Ｅ１の電力量の変化状態が減少状態である旨の減少状態信号を取得すると、上述した一実施の形態と同様の非常時動作処理を実施する。すなわち、処理制御手段としての情報出力制御手段７２２は、供給切換制御手段７２２Ａにて、選択ソース情報５１０に基づき電力供給切換手段７１０を制御して、通常電力供給手段Ｅ１と、各部４４１，４４２，４４３のうちの１つまたは２つと、を接続させる。そして、動作設定情報５２０に基づいて、各部４４１，４４２，４４３で所定の処理のみを実施可能な状態に制御する。このため、処理部７２０は、通常電力供給手段Ｅ１の電力量が減少して例えば各種情報の出力処理を実施できないおそれがある場合などの非常時に、通常電力供給手段Ｅ１からの電力により各部４４１，４４２，４４３などで所定の処理以外の処理を実施させることがない。したがって、車載用ＡＶ装置７００は、通常電力供給手段Ｅ１からの電力により各部４４１，４４２，４４３などで全ての処理を実施可能な状態に制御する構成と比べて、通常電力供給手段Ｅ１の消費電力を低減させることができ、各部４４１，４４２，４４３をより長い時間動作させることができる。よって、車載用ＡＶ装置７００は、各部４４１，４４２，４４３などにおける処理の実施状態を適切に制御できる。なお、電力量検出手段８００の代わりに、例えば通常電源接続部４１０および処理部７２０の間に通常電力供給手段Ｅ１から供給される電力の変化状態を検出する構成を設けてもよい。
【００９７】
また、車載用ＡＶ装置７００において、例えば図示しない操作ボタンと、この操作ボタンが操作されたことを検出すると通常電力供給手段Ｅ１の電力量の変化状態が減少状態である旨の減少状態信号を電力変化認識手段７２１へ出力する図示しない減少状態信号出力手段と、を設ける。そして、電力変化認識手段７２１にて、減少状態信号出力手段から減少状態信号を取得した際に、非常時動作処理を実施する構成としてもよい。このような構成にすれば、利用者は、例えば通常電力供給手段Ｅ１の電力量の変化状態が減少状態ではない場合であっても、操作ボタンを操作することにより車載用ＡＶ装置７００に非常時動作処理を実施させることができる。したがって、通常電力供給手段Ｅ１の電力量の変化状態が減少状態でない場合であっても、通常電力供給手段Ｅ１の消費電力を低減させることができる利便性が高い車載用ＡＶ装置７００を提供できる。ここで、減少状態信号出力手段にて、減少状態信号を電力量検出手段８００や供給切換制御手段７２２Ａへ出力する構成としてもよい。
【００９８】
そして、車載用ＡＶ装置４００において、例えば図示しない操作ボタンと、この操作ボタンが操作されたことを検出すると非常用電力供給手段Ｅ２が接続された旨の供給信号としての接続信号を電源接続検出手段４９１へ出力する供給信号出力手段としての図示しない接続信号出力手段と、を設ける。そして、電源接続検出手段４９１にて、接続信号出力手段から接続信号を取得した際に、非常用電力供給手段Ｅ２ではなく通常電力供給手段Ｅ１からの電力により非常時動作処理と同様の処理を実施する構成としてもよい。このような構成にすれば、利用者は、操作ボタンを操作することにより車載用ＡＶ装置４００に通常電力供給手段Ｅ１の電力を利用して非常時動作処理と同様の処理を実施させることができる。したがって、非常用電力供給手段Ｅ２に加え通常電力供給手段Ｅ１の消費電力を適宜低減させることができる利便性が高い車載用ＡＶ装置４００を提供できる。ここで、接続信号出力手段にて、接続信号を供給切換制御手段４９３Ａへ出力する構成としてもよい。
【００９９】
また、供給切換制御手段４９３Ａにて、非常用電力供給手段Ｅ２が接続されたことを検出した際に、電力供給切換手段４３０に、非常用電源接続部４２０と、各部４４１，４４２，４４３の全てと、を接続させる。そして、各出力制御手段４９３Ｄ〜４９３Ｆにて、非常用電力供給手段Ｅ２で動作させない各部４４１，４４２，４４３に対応する入力部４５０の入力操作を認識しないことで、各部４４１，４４２，４４３を適宜動作させる構成としてもよい。また、各出力制御手段４９３Ｄ〜４９３Ｆにて、非常用電力供給手段Ｅ２で動作させない各部４４１，４４２，４４３に対応する入力部４５０の入力操作を認識した際に、この動作させない各部４４１，４４２，４４３の制御を実施しないことで、各部４４１，４４２，４４３を適宜動作させる構成としてもよい。これらのような構成にすれば、電力供給切換手段４３０に、非常用電源接続部４２０と、各部４４１，４４２，４４３のうちの１つまたは２つのみと、を選択的に接続する機能を設ける必要がなくなる。したがって、電力供給切換手段４３０の構成を簡略にできる。
【０１００】
そして、非常用電力供給手段Ｅ２からの電力で各部４４１，４４２，４４３の全てで所定の処理のみを実施可能な状態に制御する構成としてもよい。このような構成にすれば、電力供給切換手段４３０に、非常用電源接続部４２０と、各部４４１，４４２，４４３のうちの１つまたは２つのみと、を選択的に接続する機能を設ける必要がなくなり、電力供給切換手段４３０の構成を簡略にできる。また、選択ソース情報５１０を設ける必要がなく、非常時動作情報５００の構成を簡略にできる。
【０１０１】
さらに、各出力制御手段４９３Ｄ，４９３Ｅに、非常用電力供給手段Ｅ２の電力で出力させるラジオ放送やテレビ放送の情報のうち、特定の情報例えば災害や天候あるいは交通に関する情報のみを選択的に出力させる機能を設ける構成としてもよい。このような構成にすれば、車載用ＡＶ装置４００は、各放送の全ての情報を出力させる構成と比べて、非常用電力供給手段Ｅ２の消費電力をさらに低減でき、各放送をさらに長い間出力できる。
【０１０２】
また、各出力制御手段４９３Ｄ，４９３Ｅに、利用者により設定された各放送局を各部４４１，４４２に選局させる機能や、非常用の各放送局を各部４４１，４４２に自動選局させる機能を設けない構成としてもよい。これらのような構成にすれば、各出力制御手段４９３Ｄ，４９３Ｅの構成を簡略にできる。また、動作設定情報５２０に各選局設定情報５２２，５２４や各自動選局フラグ５２１，５２３を組み込む必要がなくなり、動作設定情報５２０の構成を簡略にできる。
【０１０３】
そして、ディスク出力制御手段４９３Ｆに、ディスクコンテンツの再生処理のみをディスク部４４３に限定的に実施させる機能を設けない構成としてもよい。このような構成にすれば、ディスク出力制御手段４９３Ｆの構成を簡略にできる。また、動作設定情報５２０に再生限定フラグ５２５を組み込む必要がなくなり、動作設定情報５２０の構成を簡略にできる。
【０１０４】
さらに、音声形態設定手段４９３Ｂに、音量を固定音量に固定する機能や、音質を低音質に固定する機能を設けない構成としてもよい。このような構成にすれば、音声形態設定手段４９３Ｂの構成を簡略にできる。また、動作設定情報５２０に各フラグ５２６，５２７を組み込む必要がなくなり、動作設定情報５２０の構成を簡略にできる。
【０１０５】
また、画像形態設定手段４９３Ｃに、画質を低画質に固定する機能を設けない構成としてもよい。このような構成にすれば、画像形態設定手段４９３Ｃの構成を簡略にできる。また、動作設定情報５２０に低画質フラグ５２８を組み込む必要がなくなり、動作設定情報５２０の構成を簡略にできる。
【０１０６】
さらに、各出力制御手段４９３Ｅ，４９３Ｆにて、画像を断続的に表示させる状態に各部４４２，４４３を制御する構成としてもよい。このような構成にすれば、テレビ放送やディスクコンテンツの画像を連続的に表示させる構成すなわち通常状態で表示させる構成と比べて、非常用電力供給手段Ｅ２の消費電力を低減でき、テレビ放送やディスクコンテンツをさらに長い間出力できる。
【０１０７】
そして、非常時動作情報５００を不揮発性メモリ４８０に記憶させずに、例えば以下のような構成などとしてもよい。すなわち、供給切換制御手段４９３Ａにて、例えば無作為に選択したあるいは特定の各部４４１，４４２，４４３と、非常用電源接続部４２０と、を接続させる。そして、各手段４９３Ｂ〜４９３Ｆにて、例えば無作為に選択したあるいは特定の処理を限定的に実施させる構成としてもよい。このような構成にすれば、車載用ＡＶ装置４００に不揮発性メモリ４８０を設ける必要がない。また、処理部４９０に動作情報生成手段４９２を設ける必要がない。したがって、車載用ＡＶ装置４００の構成を簡略にできる。
【０１０８】
また、非常時動作情報５００に選択ソース情報５１０を組み込まずに、供給切換制御手段４９３Ａにて、例えば無作為に選択したあるいは特定の各部４４１，４４２，４４３と、非常用電源接続部４２０と、を接続させる構成としてもよい。さらに、非常時動作情報５００に動作設定情報５２０を組み込まずに、各手段４９３Ｂ〜４９３Ｆにて、例えば無作為に選択したあるいは特定の処理を限定的に実施させる構成としてもよい。これらのような構成にすれば、非常時動作情報５００の構成を簡略にできる。また、動作情報生成手段４９２に各情報５１０，５２０のうちのいずれか一方を生成する機能を適宜設ける必要がなくなり、動作情報生成手段４９２の構成を簡略にできる。
【０１０９】
そして、動作情報生成手段４９２を設けずに、図示しない外部装置で生成されたりネットワークを介して配信される非常時動作情報５００を不揮発性メモリ４８０に記憶させる構成としてもよい。このような構成にすれば、処理部４９０の構成を簡略にできる。
【０１１０】
さらに、非常時動作情報５００を不揮発性メモリ４８０に記憶させずに、電力供給が停止された際に記憶された情報が消去されるいわゆる揮発性を有する記憶手段に記憶させる構成としてもよい。
【０１１１】
また、情報出力処理手段４４０を本発明の処理実施手段として機能させ、非常用電力供給手段Ｅ２から供給される電力により各部４４１，４４２，４４３のうちの１つまたは２つのみで全ての処理を実施可能な状態に制御する構成としてもよい。
【０１１２】
そして、本発明は、各部４４１，４４２，４４３に加え、ＨＤ（Hard Disk）やＭＤ（Mini-Disk）あるいはメモリカードなどの各種記録媒体に記録されたコンテンツデータを出力するコンテンツ出力部、移動体の移動を支援するナビゲーション部、ゲーム部などを設けた機器、各部４４１，４４２，４４３、コンテンツ出力部、ナビゲーション部、ゲーム部のうちの少なくともいずれか１つを設けた機器に適用してもよい。また、移動体に搭載される構成に限らず、家庭などに設置される構成に適用してもよい。さらには、携帯用の前述した各種機器、携帯電話などの他の機器に適用する構成としてもよい。また、処理制御装置を車載用ＡＶ装置４００に適用した構成に限らず、処理部４９０を独立させた構成に適用してもよい。
【０１１３】
さらに、上述した各種変形と同様の構成を、車載用ＡＶシステム６００に適用してもよい。
【０１１４】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【０１１５】
その他、本発明の実施の際の具体的な構造および手順は、本発明の目的を達成できる範囲で他の構造などに適宜変更できる。
【０１１６】
〔実施の形態の作用効果〕
上述したように、上記実施の形態では、車載用ＡＶ装置４００の処理部４９０は、非常用電源接続部４２０に非常用電力供給手段Ｅ２が接続されたことを検出すると、非常用電力供給手段Ｅ２から供給される電力により各部４４１，４４２，４４３などで所定の処理のみを実施可能な状態に制御する。このため、処理部４９０は、非常時に非常用電力供給手段Ｅ２からの電力により各部４４１，４４２，４４３などで所定の処理以外の処理を実施させることがない。したがって、車載用ＡＶ装置４００は、非常用電力供給手段Ｅ２からの電力により各部４４１，４４２，４４３などで全ての処理を実施可能な状態に制御する構成と比べて、非常用電力供給手段Ｅ２の消費電力を低減させることができ、各部４４１，４４２，４４３をより長い時間動作させることができる。また、通常電力供給手段Ｅ１の電力がなくなった場合でも、二次電池を利用することなく各部４４１，４４２，４４３を動作させることができるので、車載用ＡＶ装置４００の大型化やコストの増大を招くことがない。また、資源の無駄を省くことができる。よって、車載用ＡＶ装置４００は、各部４４１，４４２，４４３などにおける処理の実施状態を適切に制御できる。
【０１１７】
また、上記他の実施の形態では、車載用ＡＶ装置７００の処理部７２０は、通常電力供給手段Ｅ１の電力量の変化状態が減少状態であることを認識すると、通常電力供給手段Ｅ１から供給される電力により各部４４１，４４２，４４３などで所定の処理のみを実施可能な状態に制御する。このため、処理部７２０は、非常時に通常電力供給手段Ｅ１からの電力により各部４４１，４４２，４４３などで所定の処理以外の処理を実施させることがない。したがって、車載用ＡＶ装置７００は、通常電力供給手段Ｅ１からの電力により各部４４１，４４２，４４３などで全ての処理を実施可能な状態に制御する構成と比べて、通常電力供給手段Ｅ１の消費電力を低減させることができ、各部４４１，４４２，４４３をより長い時間動作させることができる。よって、車載用ＡＶ装置７００は、各部４４１，４４２，４４３などにおける処理の実施状態を適切に制御できる。
【図面の簡単な説明】
【０１１８】
【図１】本発明の一実施の形態に係る車載用ＡＶシステムの概略構成を示すブロック図である。
【図２】前記一実施の形態における非常時動作情報の概略構成を示す模式図である。
【図３】前記一実施の形態における車載用ＡＶ装置を構成する処理部の概略構成を示すブロック図である。
【図４】前記一実施の形態におけるラジオ放送、テレビ放送、ディスクコンテンツの出力処理を示すフローチャートである。
【図５】前記一実施の形態におけるラジオ放送、テレビ放送、ディスクコンテンツの出力処理を示すフローチャートである。
【図６】前記一実施の形態における選択ソース情報の生成処理を示すフローチャートである。
【図７】前記一実施の形態における動作設定情報の生成処理を示すフローチャートである。
【図８】前記一実施の形態における動作設定情報の生成処理を示すフローチャートである。
【図９】前記一実施の形態における非常時動作処理を示すフローチャートである。
【図１０】前記一実施の形態におけるラジオ出力処理を示すフローチャートである。
【図１１】前記一実施の形態における音声出力形態の設定処理を示すフローチャートである。
【図１２】前記一実施の形態におけるテレビ出力処理を示すフローチャートである。
【図１３】前記一実施の形態におけるディスク出力処理を示すフローチャートである。
【図１４】本発明の他の実施の形態に係る車載用ＡＶシステムの概略構成を示すブロック図である。
【図１５】前記他の実施の形態における車載用ＡＶ装置を構成する処理部の概略構成を示すブロック図である。
【符号の説明】
【０１１９】
２００    出力手段としての音声出力手段である音声出力部
３００    出力手段としての表示手段である表示部
４４０    処理実施手段としても機能しうる情報出力処理手段
４４１    処理実施手段としてのラジオ部
４４１Ａ  情報取得手段としてのラジオチューナ
４４１Ｂ  出力処理手段である音声出力処理手段としてのラジオ処理手段
４４２    処理実施手段としてのテレビ部
４４２Ａ  情報取得手段としてのテレビチューナ
４４２Ｂ  出力処理手段である音声出力処理手段および画像表示処理手段としてのテレビ処理手段
４４３    処理実施手段としてのディスク部
４４３Ｂ  情報取得手段としてのピックアップ
４４３Ｃ  出力処理手段である音声出力処理手段および画像表示処理手段としてのディスク処理手段
４９０，７２０    演算手段としての処理部
４９１    処理制御装置を構成する検出手段としての電源接続検出手段
４９３Ｄ  出力処理手段、音声出力処理手段、および、画像表示処理手段としても機能するラジオ出力制御手段
４９３Ｅ  出力処理手段、音声出力処理手段、および、画像表示処理手段としても機能するテレビ出力制御手段
４９３Ｆ  出力処理手段、音声出力処理手段、および、画像表示処理手段としても機能するディスク出力制御手段
４９３，７２２    処理制御装置を構成する処理制御手段としての情報出力制御手段
７２１    認識手段としての電力変化認識手段
Ｅ１    主電力源としての通常電力供給手段
Ｅ２    補助電力源としての非常用電力供給手段
【図１】
2006199205.tif 000003
【図２】
2006199205.tif 000004
【図３】
2006199205.tif 000005
【図４】
2006199205.tif 000006
【図５】
2006199205.tif 000007
【図６】
2006199205.tif 000008
【図７】
2006199205.tif 000009
【図８】
2006199205.tif 000010
【図９】
2006199205.tif 000011
【図１０】
2006199205.tif 000012
【図１１】
2006199205.tif 000013
【図１２】
2006199205.tif 000014
【図１３】
2006199205.tif 000015
【図１４】
2006199205.tif 000016
【図１５】
2006199205.tif 000017